(57)【特許請求の範囲】
【請求項１】
海洋生物の付着を防止した海苔網用支柱であって、
シリコーンゴムまたはシリコーンゴムを含む架橋固形物で形成されたシート状の海洋生物付着防止部材が、支柱の少なくとも海水に浸漬される部分に巻かれて装着されており、
該シート状の海洋生物付着防止部材は、支柱に対し潮流や波の動きによって揺れ動くようにゆとりをもって装着してあることを特徴とする、
海洋生物の付着を防止した海苔網用支柱。
【請求項２】
海洋生物の付着を防止した海苔網用支柱であって、
シリコーンゴムまたはシリコーンゴムを含む架橋固形物で形成された筒状の海洋生物付着防止部材が、支柱の少なくとも海水に浸漬される部分に装着され、着脱可能な固着部材で固着されており、当該固着部材はシリコーンゴムまたはシリコーンゴムを含む架橋固形物で形成されており、
該筒状の海洋生物付着防止部材は、支柱に対し潮流や波の動きによって揺れ動くようにゆとりをもって装着してあることを特徴とする、
海洋生物の付着を防止した海苔網用支柱。
【発明の詳細な説明】
【０００１】
【発明の属する技術分野】
本発明は、フジツボなどの海洋生物の付着を防止した海苔網用支柱に関するものである。
【０００２】
【従来技術】
海苔の養殖は、海中に建て込んだ海苔網用支柱（以下、単に「支柱」と称する場合がある）に海苔網を張り、この海苔網に海苔の胞子を植え付けて生育させることにより行われている。使用される支柱の表面のうち海水に浸漬される部分にはフジツボなどの海洋生物が付着する。特に水温が高い時期には海洋生物は大量に付着する。
【０００３】
このフジツボなどの付着によって支柱の直径は、甚だしい場合は１０倍程にもなって重くなるため、引き抜きの際の作業者にかかる肉体的負担が大きい。
支柱を再使用する場合は、支柱に付着したフジツボなどを取り除かなければならない。しかしその付着力は非常に強く、作業は困難であり、取り除いたフジツボなどの処分にも困っている。
【０００４】
これを解消するために、例えば支柱に浮上リングをスライド可能に装着し、海面の干満差による浮上リングのスライドにより、支柱表面へのフジツボなどの付着を物理的に防止する方法が採られていた。
【０００５】
【発明が解決しようとする課題】
しかし、上記従来の方法には次のような課題があった。
すなわち、フジツボなどの付着防止効果が認められるのは、支柱のうち浮上リングのスライド範囲内だけであり、常時海中に浸漬されている部分にはフジツボなどが付着する。
【０００６】
従って、フジツボなどの除去作業が多少軽減されるとはいっても、作業者の肉体的負担は相変わらず大きかった。また、取り除いたフジツボなどの処分にも困り、従来の課題の根本的な解決とはなっていない。
【０００７】
本発明は上記課題を解決するもので、海苔養殖に使用される海苔網用支柱にフジツボなどの海洋生物が付着するのを防止して、海洋生物の付着によって生じる除去作業などの様々な付帯作業を軽減または不要にした、海洋生物の付着を防止した海苔網用支柱を提供することを目的とする。
【０００８】
【課題を解決するための手段】
上記課題を解決するために講じた本発明の手段は次のとおりである。
第１の発明にあっては、
海洋生物の付着を防止した海苔網用支柱であって、
シリコーンゴムまたはシリコーンゴムを含む架橋固形物で形成されたシート状の海洋生物付着防止部材が、支柱の少なくとも海水に浸漬される部分に巻かれて装着されており、
該シート状の海洋生物付着防止部材は、支柱に対し潮流や波の動きによって揺れ動くようにゆとりをもって装着してあることを特徴とする、
海洋生物の付着を防止した海苔網用支柱である。
【０００９】
第２の発明にあっては、
海洋生物の付着を防止した海苔網用支柱であって、
シリコーンゴムまたはシリコーンゴムを含む架橋固形物で形成された筒状の海洋生物付着防止部材が、支柱の少なくとも海水に浸漬される部分に装着され、着脱可能な固着部材で固着されており、当該固着部材はシリコーンゴムまたはシリコーンゴムを含む架橋固形物で形成されており、
該筒状の海洋生物付着防止部材は、支柱に対し潮流や波の動きによって揺れ動くようにゆとりをもって装着してあることを特徴とする、
海洋生物の付着を防止した海苔網用支柱である。
【００１０】
シリコーンゴムを含む架橋固形物は、シリコーンゴムと他の鎖状構造を持つ高分子材料（天然ゴム、合成ゴム、プラスチックなど）を所要の比率で混合して架橋した固形物を含むものである。
高分子材料としては、例えばエチレン・プロピレンゴム（ＥＰＲ）、天然ゴム（ＮＲ）、イソプレンゴム（ＩＲ）、スチレンゴム（ＳＢＲ）、ニトリルゴム（ＮＢＲ）、クロロプレンゴム（ＣＲ）、ポリエチレン（ＰＥ）、ポリプロピレン（ＰＰ）などがあげられる。
【００１１】
なお、シリコーンゴム単体でも使用は可能であるが、十分な物性値（強度、耐候性など）が得られにくいので、上記のなかでも物性値が高い高分子材料と混合することが望ましい。その配合割合は要求される物性値によって異なり、特に限定されるものではないが、一般的な使用においては、シリコーンゴム７０〜３０％に対して高分子材料は３０〜７０％である。
【００１２】
使用される支柱は、竹製、合成樹脂製、ＦＲＰ製等従来から使用されている各種のものを挙げることができる。固着部材にはリング状のもの、ベルト状のもの等を挙げることができる。また、シリコーンゴム（架橋されたもの）またはシリコーンゴムを含む架橋固形物は、筒状又はシート状に形成し、これを支柱に装着する。
【００１３】
（作  用）
シリコーンゴム（架橋されたもの）またはシリコーンゴムを含む架橋固形物を筒状又はシート状に形成して海洋生物付着防止部材としたものは、これを支柱に装着する。装着に当たって海洋生物付着防止部材が筒状の場合は支柱を挿入する。シート状の場合は支柱に上下端以外をゆとりをもって巻き、重合する接合部を溶着により或は接着剤で密封する。細長のシート状の場合は螺旋状に上下端以外をゆとりをもって巻きつけ、重合する接合部を溶着により或いは接着剤で密封する。
海洋生物付着防止部材が、支柱の少なくとも海水に浸漬される部分に装着されている海苔網用支柱にあっては、架橋固形物が表われている部分にはフジツボなどの海洋生物が付着成長しにくい。その理由は定かではないが、シリコーンゴムなどの架橋固形物の表面は海洋生物が一旦は付着しても生理的にあるいは物理的に剥がれやすくする性質を備えていると思われる。
【００１４】
従って、海洋生物の付着によって生じる除去作業などの様々な付帯作業が軽減されるかまたは不要となる。
また、フジツボなどの海洋生物は表面が硬いものに付着しやすく、軟らかいものには付着しにくい性質があることは知られているが、シリコーンゴムを含む架橋固形物は硬度の調整が比較的容易であり、軟らかい海洋生物付着防止部材を形成することによって付着防止効果がより高まることが期待できる。
なお、支柱に装着されるチューブ体或はシート体は、支柱に密着するように装着せず、ゆとりをもって装着し、潮流や波の動きによって揺れ動くようにしておくと、フジツボなどの海洋生物が付着しにくい。
【００１５】
海洋生物付着防止部材が、シリコーンゴム（架橋されたもの）またはシリコーンゴムを含む架橋固形物で形成された着脱可能な固着部材で固着されているものにあっては、固着部材を取り外すことによって支柱から海洋生物付着防止部材を取り外すことができる。このため支柱を使用しないときには海洋生物付着防止部材を支柱から取り外して保管することにより、海洋生物付着防止部材が破れたり傷ついたりすることを防止でき、繰り返し使用することができる。
【００１６】
【発明の実施の形態】
本発明を図面に示した実施の形態により更に詳細に説明する。
図１は本発明に係る海苔網用支柱の第１の実施の形態を示す中間部分を一部省略した斜視図、図２は図１に示す海苔網用支柱の要部縦断面図である。
海苔網用支柱Ｐは、合成樹脂製の支柱本体１を備えている。支柱本体１の上部にはやや径小で所要長さの支柱アンテナ１０が設けられている。支柱本体１の下端部には尖鋭部１１が設けられている。
支柱本体１の径大部のうち、海底へ建て込むときの差込しろａ部より上部側には、海洋生物付着防止部材であるチューブ体２が装着されている。
【００１７】
チューブ体２は、シリコーンゴムを含む架橋固形物、すなわちエチレン・プロピレンゴム（ＥＰＲ）とシリコーンゴムを重量比３：７で混合したものが材料として使用されている。チューブ体２の内径は支柱本体１の径大部の外径よりやや大きくゆとりをもって形成されており、装着しやすいようにしてある。
【００１８】
チューブ体２の上下端部にはチューブ体２と同じ材料で形成された、固着部材であるリング体３が装着されている。リング体３は弾性を有し、その内径は支柱本体１の径大部の外径よりやや小さく形成されている。従って、装着時にはリング体３は内径が拡開し、固着時には収縮してチューブ体２はリング体３によって上下端部を支柱本体１に締付けられて固定される。
【００１９】
本発明に係る海苔網用支柱のチューブ体及びリング体に使用される材料を次表に示したケース1.ないし7.に基づき更に詳細に説明する。
（試験条件）
２００×２００×１０（ｍｍ）の板状の検体を海苔養殖場の海中に十二か月間浸漬した。
材  質                硬度    透明／不透明    結果
シリコーンゴム1.単体      ５０      透  明      付着せず
2.単体      ７０      不透明      付着せず
ＥＰＲ／
シリコーンゴム3.30/70     ５０      不透明      付着せず
（重量比）    4.50/50     ５０      不透明      付着せず
5.70/30     ５０      不透明      付着せず
ＥＰＲ        6.単体      ５０      透  明      付着
7.単体      ７０      透  明      付着
硬度：スプリング式かたさ試験機（Ａ型）による。
【００２０】
表に示したように、材質がシリコーンゴムであるケース1.，2.の場合、硬度の違い及び透明度の違いにかかわらず、検体の表面への海洋生物（フジツボなど）の付着は皆無であった。
材質がシリコーンゴムとＥＰＲ（エチレン・プロピレンゴム）の混合物であるケース3.，4.，5.の場合、混合重量比にかかわらず、検体の表面への海洋生物（フジツボなど）の付着は皆無であった。
なお、ＥＰＲは強度、耐候性などの物性値が高く、シリコーンゴムと混合した場合、シリコーンゴム単体の場合と比較して十分な物性値が得られている。
【００２１】
材質がＥＰＲでシリコーンゴムを含まないケース6.，7.の場合、硬度の違いにかかわらず検体の表面に海洋生物（フジツボなど）が付着した。
上記実施の結果から、検体にシリコーンゴムが含まれていれば海洋生物（フジツボなど）の付着防止効果があることがわかった。
【００２２】
（作  用）
本発明に係る海苔養殖用海苔支柱Ｐの支柱本体１に装着されたチューブ体２には上記実験からわかるように、フジツボなどの海洋生物が付着成長しない。
従って、海洋生物の付着によって生じる除去作業などの様々な付帯作業が不要となる。
【００２３】
また、フジツボなどの海洋生物は表面が硬いものに付着しやすく、軟らかいものには付着しにくい性質があることは知られているが、シリコーンゴムを含む架橋固形物は硬度の調整が比較的容易であり、軟らかいチューブ体を形成することによって付着防止効果がより高まることが期待できる。
【００２４】
また、チューブ体２はリング体３の弾性によって単に支柱本体１に締付け固定されているので、チューブ体２の着脱が容易にできる。従って、海苔網用支柱Ｐを使用しないときにはチューブ体２を支柱本体１から取り外して保管することにより、チューブ体２が破れたり傷ついたりすることを防止でき、繰り返し使用することができる。
【００２５】
図３は本発明に係る海苔網用支柱の第２の実施の形態を示す要部拡大説明図である。本実施の形態においては第１の実施の形態におけるチューブ体２の代わりに長方形状のシート体４を支柱本体１に上下端以外をゆとりをもって巻つけ重合箇所４０を溶着している。その他は第１の実施の形態と同じであり説明を省略する。
なお、本発明は図示の実施の形態に限定されるものではなく、特許請求の範囲の記載内において種々の変形が可能である。
【００２６】
【発明の効果】
本発明は上記構成を備え、次の効果を有する。
（ａ）シリコーンゴム（架橋されたもの）またはシリコーンゴムを含む架橋固形物で形成された海洋生物付着防止部材が、支柱の少なくとも海水に浸漬される部分にゆとりをもって装着されている海苔網用支柱にあっては、架橋固形物が表われている部分にはフジツボなどの海洋生物が付着成長しにくい。従って、海洋生物の付着によって生じる除去作業などの様々な付帯作業が軽減されるかまたは不要となる。
また、フジツボなどの海洋生物は表面が硬いものに付着しやすく、軟らかいものには付着しにくい性質があることは知られているが、シリコーンゴムを含む架橋固形物は硬度の調整が比較的容易であり、軟らかい海洋生物付着防止部材を形成することによって付着防止効果がより高まることが期待できる。
【００２７】
（ｂ）海洋生物付着防止部材が、シリコーンゴム（架橋されたもの）またはシリコーンゴムを含む架橋固形物で形成された着脱可能な固着部材で固着されているものにあっては、固着部材を取り外すことによって支柱から海洋生物付着防止部材を取り外すことができる。このため支柱を使用しないときには海洋生物付着防止部材を支柱から取り外して保管することにより、海洋生物付着防止部材が破れたり傷ついたりすることを防止でき、繰り返し使用することができる。
【図面の簡単な説明】
【図１】  本発明に係る海苔網用支柱の第１の実施の形態を示す中間部分を一部省略した斜視図である。
【図２】  図１に示す海苔網用支柱の要部縦断面図である。
【図３】  本発明に係る海苔網用支柱の第２の実施の形態を示す要部拡大説明図である。
【符号の説明】
Ｐ  海苔網用支柱
１  支柱本体
１０  支柱アンテナ
１１  尖鋭部
２  チューブ体
３  リング体
４  シート体
【図１】
0003798844.tif 000002
【図２】
0003798844.tif 000003
【図３】
0003798844.tif 000004